(57)【要約】【課題】筐体に取り付けられた開閉パネルを閉鎖した際に、開閉パネルにガタツキが発生するのを防止するようにした開閉パネルのロック機構を提供する。【解決手段】本発明に係る開閉パネルのロック機構（１０）にあっては、開閉パネル（２）に設けられた回転可能なラッチ（１１）と、筐体（１）に設けられ、前記開閉パネル（２）の閉鎖時に前記ラッチ（１１）を受ける受け部（１２）と、前記受け部（１２）に設けられ、前記開閉パネル（２）の閉鎖時に前記ラッチ（１１）を前記開閉パネル（２）の閉鎖方向に付勢する弾性体（板バネ１５ｃ）とを備えるように構成した。【選択図】図４
2008156826.tif 000002
【特許請求の範囲】
【請求項１】
筐体に取り付けられた開閉パネルのロック機構であって、
前記開閉パネルに設けられた回転可能なラッチと、
前記筐体に設けられ、前記開閉パネルの閉鎖時に前記ラッチを受ける受け部と、
前記開閉パネルの閉鎖時に前記ラッチを前記受け部に対して前記開閉パネルの閉鎖方向に付勢する弾性体とを備えることを特徴とする開閉パネルのロック機構。
【発明の詳細な説明】
【技術分野】
【０００１】
本発明は筐体に取り付けられた開閉パネルのロック機構に関する。
【背景技術】
【０００２】
例えば電子機器等を収容する筐体には、当該電子機器のメンテナンス等を行うための開閉パネル（扉）が取り付けられる（例えば特許文献１参照）。筐体に開閉パネルを取り付ける場合、開閉パネルを閉じた際に開閉パネルを筐体にロックするための機構を設ける必要がある。以下、図８以降を参照し、開閉パネルのロック機構の一例を説明する。
【特許文献１】特開２０００−７７８６０号公報
【０００３】
図８は、従来技術に係る開閉パネルのロック機構を有する筐体の正面図であり、図９は、図８のIX−IX線断面図である。
【０００４】
図８および図９に示すように、筐体１００には開閉パネル１０１が取り付けられる。開閉パネル１０１は、その一辺が蝶番１０２を介して筐体１００に接続され、蝶番１０２を回転軸として開き戸式に開閉可能とされる。開閉パネル１０１によって開放、閉鎖される筐体１００の内部空間には、電子機器ユニット１０３が収容される。また、開閉パネル１０１には、電子機器ユニット１０３の操作の実行や運転状態を表示するための液晶表示盤１０４等の電子機器が取り付けられる。一方、開閉パネル１０１の開閉端側の一辺は、ロック機構１０５によって筐体１００に係止される。
【０００５】
図１０は、図８に示すロック機構１０５付近の拡大図であり、図１１は、図９に示すロック機構１０５付近の拡大図である。
【０００６】
図１０および図１１に示すように、ロック機構１０５は、開閉パネル１０１に設けられたラッチ１０６と、ラッチ１０６を受ける受け部１０７とを有する。ラッチ１０６は開閉パネル１０１の開閉端付近に設けられた回転軸１０８に取り付けられる。受け部１０７は筐体１００に設けられ、その形状は上面視においてコの字状を呈する。開閉パネル１０１は、回転軸１０８を回転させ、受け部１０７の内方（対向する面と面の間）にラッチ１０６を位置させることにより、筐体１００に係止される。
【発明の開示】
【発明が解決しようとする課題】
【０００７】
開閉パネル１０１の開閉時にラッチ１０６の回転動作を円滑に行わせるためには、図１１に示すように、ラッチ１０６と受け部１０７との間（開閉パネル１０１の開閉方向）にある程度の間隙を設ける必要がある。従って、上記した従来のロック機構１０５にあっては、開閉パネル１０１を閉鎖してラッチ１０６を受け部１０７で受けた際も、ラッチ１０６と受け部１０７の間には間隙が存在することとなり、ガタツキが生じる原因となっていた。このようなガタツキは、開閉パネル１０１に液晶表示盤１０４等の電子機器を取り付ける場合には、それらの保護のため、特に防止する必要がある。
【０００８】
従ってこの発明は上記した課題を解決し、筐体に取り付けられた開閉パネルを閉鎖した際に、開閉パネルにガタツキが発生するのを防止するようにした開閉パネルのロック機構を提供することにある。
【課題を解決するための手段】
【０００９】
上記した課題を解決するため、本発明に係る開閉パネルのロック機構にあっては、開閉パネルに設けられた回転可能なラッチと、筐体に設けられ、前記開閉パネルの閉鎖時に前記ラッチを受ける受け部と、前記開閉パネルの閉鎖時に前記ラッチを前記受け部に対して前記開閉パネルの閉鎖方向に付勢する弾性体とを備えるように構成した。
【発明の効果】
【００１０】
本発明に係る開閉パネルのロック機構にあっては、開閉パネルに設けられた回転可能なラッチと、筐体に設けられ、前記開閉パネルの閉鎖時に前記ラッチを受ける受け部と、前記開閉パネルの閉鎖時に前記ラッチを前記受け部に対して前記開閉パネルの閉鎖方向に付勢する弾性体とを備えるように構成したので、開閉パネルを閉鎖した際に、ラッチを通じて開閉パネルを閉鎖方向に付勢できるため、開閉パネルにガタツキが発生するのを防止することができる。
【発明を実施するための最良の形態】
【００１１】
以下、本発明に係る開閉パネルのロック機構を実施するための最良の形態について、図面を参照して説明する。
【００１２】
図１は、本発明に係る開閉パネルのロック機構を有する筐体の正面図であり、図２は、図１のII−II線断面図である。
【００１３】
図１および図２に示すように、筐体１の正面には、開閉パネル（扉）２が取り付けられる。尚、図では筐体１の上部に開閉パネル２が１枚取り付けられているが、筐体１の下部や正面全体に開閉パネルを取り付けても良い。また、開閉パネルの枚数も１枚に限定されるものではない。
【００１４】
開閉パネル２は、正面視矩形を呈し、その左右の２辺のうち一辺が蝶番３を介して筐体１に接続され、蝶番３を回転軸として開き戸式に開閉可能とされる。開閉パネル２によって開放、閉鎖される筐体１の内部空間には、電子機器ユニット（例えばアンプユニットや無線ユニット）４が収容される。また、開閉パネル２には、電子機器ユニット４の操作の実行や運転状態を表示するための液晶表示盤５等の電子機器が取り付けられる。一方、開閉パネル２の開閉端側の一辺は、ロック機構１０によって筐体１に係止（ロック）される。
【００１５】
図３は、図１に示すロック機構１０付近の拡大図であり、図４は、図２に示すロック機構１０付近の拡大図である。また、図５は、図３のＶ−Ｖ線断面図である。
【００１６】
図３から図５に示すように、ロック機構１０は、開閉パネル２に設けられたラッチ（掛け金具）１１と、ラッチ１１を受ける受け部（受け金具）１２とを有する。ラッチ１１は、開閉パネル２の開閉端付近に設けられた回転軸１３に取り付けられる。
【００１７】
ラッチ１１は、図示の如く、開閉パネル２の裏面側に位置する。回転軸１３は、開閉パネル２の表面に設けられた鍵穴１４と連結しており、かかる鍵穴１４に図示しない鍵を挿入し、当該鍵を回転させることで、回転軸１３とそれに取り付けられたラッチ１１が回転させられる。尚、回転軸１３の回転角（即ちラッチ１１の回転角）は、図３に示す如く、鉛直方向から水平方向までの９０度である。
【００１８】
受け部１２は筐体１に設けられ、その形状は図４に示す如く上面視においてコの字状を呈する。具体的には、受け部１２は、対抗配置された板状部１２ａ，１２ｂと、それらに直交する板状部１２ｃとからなる。
【００１９】
受け部１２は、具体的には、その板状部１２ａが筐体１の前面側端部に固定（ネジ止め）され、板状部１２ｂが板状部１２ａよりも前方（筐体１の前面側）に突出される。板状部１２ａと板状部１２ｂの離間距離は、板状部１２ｃの幅となる。尚、板状部１２ｂの端部前面は、開閉パネル２を閉鎖した際に開閉パネル２のストッパとしても機能する。
【００２０】
受け部１２は、上述した回転軸１３の側方に位置する。ラッチ１１は、開閉パネル２を閉鎖し、回転軸１３を鉛直方向から水平方向に９０度回転させることにより、板状部１２ａと板状部１２ｂの間に位置させられる。これにより、開閉パネル２は、筐体１に係止される。尚、ラッチ１１の回転動作を円滑に行えるよう、板状部１２ａと板状部１２ｂの離間距離（板状部１２ｃの幅）は、ラッチ１１の厚さよりも十分大きな値に設定される。
【００２１】
また、板状部１２ｂの内面（板状部１２ａと対向する面）には、ラッチ付勢部１５が固定（ネジ止め）される。図６は、図３に示すラッチ付勢部１５の拡大正面図であり、図７は、図６に示すラッチ付勢部１５の側面図である。
【００２２】
図６および図７に示すように、ラッチ付勢部１５は金属製の板状部材からなる。ラッチ付勢部１５には、Ｌ字状の切り欠き１５ａが設けられ、その切り欠き１５ａによって形成された板片１５ｂを屈曲させることにより、曲線形状の板バネ１５ｃが形成される。
【００２３】
図３から図５の説明に戻ると、ラッチ付勢部１５は、板バネ１５ｃの屈曲（突出）方向が板状部１２ａに対抗するように板状部１２ｂに固定される。ラッチ１１は、鉛直方向から水平方向に９０度回転させられて板状部１２ａと板状部１２ｂの間に位置させられたとき、板バネ１５ｃの頂部に当接し、開閉パネル２の閉鎖方向に付勢される。
【００２４】
上述したように、板状部１２ｂは、開閉パネル２を閉鎖した際に開閉パネル２のストッパとして機能する。従って、開閉パネル２を閉鎖した際に、板バネ１５ｃによってラッチ１１を開閉パネル２の閉鎖方向に付勢することで、開閉パネル２がストッパたる板状部１２ｂに押圧され、よって開閉パネル２を閉鎖した際のガタツキを防止することができる。また、板バネ１５ｃは曲線形状を呈しているため、板バネ１５ｃの頂部へのラッチ１１の乗り上げおよびその逆の動作を円滑に行うことができ、ラッチ１１の回転動作を妨げることがない。
【００２５】
以上のように、本発明に係る開閉パネルのロック機構１０にあっては、開閉パネル２に設けられた回転可能なラッチ１１と、筐体１に設けられ、前記開閉パネル２の閉鎖時に前記ラッチ１１を受ける受け部１２と、前記受け部１２に設けられ、前記開閉パネル２の閉鎖時に前記ラッチ１１を前記開閉パネル２の閉鎖方向に付勢する板バネ１５ｃとを備えるように構成したので、開閉パネル２を閉鎖した際に、ラッチ１１を通じて開閉パネル２を閉鎖方向に付勢できるため、開閉パネル２にガタツキが発生するのを防止することができる。また、板バネ１５ｃが曲線形状を呈しているため、板バネ１５ｃの頂部へのラッチ１１の乗り上げおよびその逆の動作を円滑に行うことができ、ラッチ１１の回転動作を妨げることもない。
【００２６】
尚、上記実施例において、ラッチ１１を付勢する弾性体として板バネ１５ｃを例に挙げたが、ゴムなどの他の弾性体であってもよい。また、受け部１２に弾性体を設けるようにしたが、ラッチ１１に弾性体を設けるようにしてもよい。
【図面の簡単な説明】
【００２７】
【図１】本発明に係る開閉パネルのロック機構を有する筐体の正面図である。
【図２】図１のII−II線断面図である。
【図３】図１に示すロック機構付近の拡大図である。
【図４】図２に示すロック機構付近の拡大図である。
【図５】図３のＶ−Ｖ線断面図である。
【図６】図３に示すラッチ付勢部の拡大正面図である。
【図７】図６に示すラッチ付勢部の側面図である。
【図８】従来技術に係る開閉パネルのロック機構を有する筐体の正面図である。
【図９】図８のIX−IX線断面図である。
【図１０】図８に示すロック機構付近の拡大図である。
【図１１】図９に示すロック機構付近の拡大図である。
【符号の説明】
【００２８】
１：筐体、  ２：開閉パネル、  １０：ロック機構、  １１：ラッチ、  １２：受け部、  １５：ラッチ付勢部、  １５ｃ：板バネ（弾性体）
【図１】
2008156826.tif 000003
【図２】
2008156826.tif 000004
【図３】
2008156826.tif 000005
【図４】
2008156826.tif 000006
【図５】
2008156826.tif 000007
【図６】
2008156826.tif 000008
【図７】
2008156826.tif 000009
【図８】
2008156826.tif 000010
【図９】
2008156826.tif 000011
【図１０】
2008156826.tif 000012
【図１１】
2008156826.tif 000013